(57)【要約】【課題】効率の良いセルサーチ動作を移動局装置に行わせること。【解決手段】第１の基地局装置は、移動局装置と通信中に、自装置から自装置とは異なる周波数で通信を行う第２の基地局装置へのハンドオーバーを要求するときに、移動局装置が第２の基地局装置をサーチする回数または制限時間を移動局装置の速度に基づいて決定し、決定した回数または制限時間を移動局装置に送信し、移動局装置は、第１の基地局装置から通知された回数または制限時間の範囲内で第２の基地局装置をサーチする。【選択図】図３
2014143651.tif 000002
【特許請求の範囲】
【請求項１】
第１の基地局装置と、
前記第１の基地局装置とは異なる周波数で通信を行う第２の基地局装置と、
前記第１の基地局装置および第２の基地局装置と通信可能な移動局装置と、を備え、
前記第１の基地局装置は、前記移動局装置と通信中に自装置から前記第２の基地局装置へのハンドオーバーを要求するときに、前記移動局装置が前記第２の基地局装置をサーチする回数または制限時間を前記移動局装置の速度に基づいて決定し、該決定した回数または制限時間を前記移動局装置に送信し、
前記移動局装置は、前記第１の基地局装置から通知された回数または制限時間の範囲内で前記第２の基地局装置をサーチする、
移動体通信システム。
【請求項２】
請求項１記載の移動体通信システムであって、
前記第１の基地局装置は、自装置からのハンドオーバーを要求する前記第２の基地局装置が複数の周波数で通信を行う場合、該複数の周波数のそれぞれについて、前記移動局装置が第２の基地局装置をサーチする回数または制限時間を前記移動局装置の速度に基づいて決定し、該決定した回数を前記移動局装置に送信する、
移動体通信システム。
【請求項３】
第１の基地局装置と、前記第１の基地局装置とは異なる周波数で通信を行う第２の基地局装置と、前記第１の基地局装置および第２の基地局装置と通信可能な移動局装置と、を備える移動体通信システムにおいて、
前記第１の基地局装置が、前記移動局装置と通信中に自装置から前記第２の基地局装置へのハンドオーバーを要求するときに、前記移動局装置が前記第２の基地局装置をサーチする回数または制限時間を前記移動局装置の速度に基づいて決定し、該決定した回数または制限時間を前記移動局装置に送信し、
前記移動局装置が、前記第１の基地局装置から通知された回数または制限時間の範囲内で前記第２の基地局装置をサーチする、
通信方法。
【請求項４】
移動局装置と通信を行う送受信部と、
前記移動局装置との通信中に、自装置から該自装置とは異なる周波数で通信を行う他の基地局装置へのハンドオーバーを要求するときに、前記移動局装置が前記他の基地局装置をサーチする回数または制限時間を前記移動局装置の速度に基づいて決定し、該決定した回数または制限時間を前記移動局装置に送信するように前記送受信部を制御する制御部と、
を備える基地局装置。
【請求項５】
請求項４記載の基地局装置であって、
前記制御部は、自装置からのハンドオーバーを要求する他の基地局装置が複数の周波数で通信を行う場合、該複数の周波数のそれぞれについて、前記移動局装置が他の基地局装置をサーチする回数または制限時間を前記移動局装置の速度に基づいて決定し、該決定した回数または制限時間を前記移動局装置に送信するように前記送受信部を制御する、
基地局装置。
【発明の詳細な説明】
【技術分野】
【０００１】
本発明は、移動体通信システム、通信方法、および基地局装置に関する。
【背景技術】
【０００２】
ＬＴＥ−Ａ（Long  Term  Evolution―Advanced）などの公衆無線通信システムにおいて、パケット通信中に移動局が移動した場合に、現在通信中の基地局から、他の基地局に切り替わるハンドオーバーが行われることがある。移動局は、基地局からハンドオーバーを要求するメッセージを受信すると、現在通信中の基地局と同じ周波数を利用している他の基地局、あるいは異なる周波数を利用した他の基地局をサーチする。ここで、同じ周波数を利用した基地局をサーチする場合は、現在の通信中の受信回路を利用してサーチ動作することができる。一方、異なる周波数を利用した基地局をサーチする場合は、現在通信中の受信回路の設定のままではサーチ動作を行うことができず、周波数を変更するために、ＧＡＰ（受信しない区間）を設定し、無線受信回路に対し通信中の周波数と異なる周波数を設定し、異周波の周辺セルサーチ動作を行う。ＧＡＰを設定し、異周波セルサーチ動作をしている時間帯においては、通信中の基地局とのデータ通信が一旦途切れることになる。
また、ＬＴＥ−Ａにおいては、ＨｅｔＮｅｔのようなスモールセル（Ｓｍａｌｌセル）基地局が配置されることを想定している。ＬＴＥ−Ａで想定されているスモールセル基地局が多数配置されたエリアでは、これら配置されたスモールセル基地局の数は、マクロセル基地局数より多くなることから、これらスモールセル基地局が利用する周波数は、周辺のスモールセル基地局やマクロセル基地局と干渉を防ぐために、同一周波数帯を利用することが難しく、周辺のスモールセル基地局やマクロセル基地局とは干渉の起こらない異なる周波数帯を利用することが想定される。
なお、ＬＴＥ−Ａでは、ＬＴＥとの互換性を可能な限り維持する目的から、キャリアアグリゲーション（ＣＡ：Carrier  Aggregation、搬送波統合）技術が採用されている。ＣＡ技術では、通信装置は、コンポーネントキャリア（ＣＣ：Component   Carrier）と呼ばれる帯域幅２０ＭＨｚまでの周波数帯域を複数同時に利用して広帯域通信を行う。ＬＴＥ−Ａにおいて、ＣＡ対応の複数受信回路を備えた移動局については、空いている無線受信回路を利用して異周波セルサーチ動作を行うことが考えられている。（例えば、非特許文献１参照）。
【先行技術文献】
【非特許文献】
【０００３】
【非特許文献１】NTT  DOCOMO、“LTE／Hetnet  Mobility:  Inter―frequency  Hetnet”、3GPP、3GPP  TSG―RAN  WG2  ＃78  R2―122568
【発明の概要】
【発明が解決しようとする課題】
【０００４】
異なる周波数を使って運用しているスモールセル基地局が多数配置された状況で、移動局が、マクロセル基地局からのハンドオーバー要求メッセージに従って、スモールセル基地局へのハンドオーバーを行う場合、異周波のスモールセル基地局をサーチする動作（サーチ動作）が頻繁に発生することがある。スモールセル基地局は、一般に、サービスエリアの範囲が狭いため、移動局が移動しているときには、異周波セルサーチ動作を行っても、スモールセル基地局の検出ができなかったり、受信レベルが低かったり、受信レベルが安定しないことがある。この場合、ハンドオーバーに適しているスモールセル基地局を検出する確率が低くなり、無駄な異周波セルサーチ動作が行われる場合がある。また、ハンドオーバーに適している異周波のスモールセル基地局を見つけるまで、サーチ動作を行うことをマクロセル基地局が複数回要求すれば、その回数に応じて移動局の消費電力が大きくなってしまう。これらの結果、効率の悪いセルサーチ動作が行われてしまうおそれがある。
【０００５】
本発明は、このような事情を考慮してなされたものであり、効率の良いセルサーチ動作を移動局装置に行わせることを目的の一つとする。
【課題を解決するための手段】
【０００６】
本発明の一態様は、第１の基地局装置と、第１の基地局装置とは異なる周波数で通信を行う第２の基地局装置と、第１の基地局装置および第２の基地局装置と通信可能な移動局装置と、を備え、第１の基地局装置は、移動局装置と通信中に自装置から第２の基地局装置へのハンドオーバーを要求するときに、移動局装置が第２の基地局装置をサーチする回数または制限時間を移動局装置の速度に基づいて決定し、決定した回数または制限時間を移動局装置に送信し、移動局装置は、第１の基地局装置から通知された回数または制限時間の範囲内で第２の基地局装置をサーチする、移動体通信システムである。
【発明の効果】
【０００７】
本発明の一態様によれば、効率の良いセルサーチ動作を移動局装置に行わせることができる。
【図面の簡単な説明】
【０００８】
【図１】第１実施形態の移動体通信システム１の全体構成を模式的に示す図である。
【図２】移動局１００およびマクロセル基地局２００の機能構成の一例を示す図である。
【図３】第１実施形態の移動体通信システム１において実行される処理の流れを示すフローチャートの一例である。
【図４】送受信部１０２、１０４の動作の一例を示すタイミングチャートの一例である。
【図５】受信レベルの推移を例示した図である。
【図６】第２実施形態の移動体通信システム２における受信レベルの推移と異周波セルサーチ試行の制限時間との関係を例示した図である。
【図７】第３実施形態に係る移動体通信システム３の全体構成を模式的に示す図である。
【発明を実施するための形態】
【０００９】
以下、図面を参照し、本発明の移動体通信システム、通信方法、および基地局装置の実施形態について説明する。
【００１０】
＜第１実施形態＞
図１は、第１実施形態の移動体通信システム１の全体構成を模式的に示す図である。図１において、移動体通信システム１は、移動局１００と、マクロセル基地局２００と、スモールセル基地局３００−１、３００−２、‥３００−ｎ（ｎは任意の正の整数）とを備える。図１におけるＡ（２００）、Ａ（３００−１）、Ａ（３００−２）、Ａ（３００−ｎ）は、それぞれマクロセル基地局２００、およびスモールセル基地局３００−１、３００−２、３００−ｎのサービス提供領域を示している。なお、以下、いずれのスモールセル基地局であるかを区別しないときは、単にスモールセル基地局３００と表記する。図１では、移動局１００を単独のものとして示したが、実際には、マクロセル基地局２００のサービス範囲内に複数の移動局１００が存在し得る。また、マクロセル基地局２００は、地域を分割したマクロセル内に、例えば１つ設置されるものであり、複数のマクロセルに対応して複数のマクロセル基地局２００が存在する。
【００１１】
また、本実施形態において「スモールセル基地局」とは、ＨｅＮＢ（Home  eNode  B）や、ＨｅｔＮｅｔ（Heterogeneous  Network）等の総称であって、マクロセル基地局２００を除いたものの概念である。スモールセル基地局３００は、例えば、マクロセル基地局２００のサービス提供領域内に設置され、マクロセル基地局２００のサービス提供領域Ａ（２００）よりも狭いエリアをサービス提供領域とする。マクロセル基地局２００とスモールセル基地局３００は、ＩＰ（Internet  Protocol）ネットワークなどにより通信可能に接続されている。本実施形態において、スモールセル基地局２００の数に特段の制限は存在しない。スモールセル基地局３００には、マクロセル基地局２００と同じ周波数で通信を行うものと、異なる周波数で通信を行うものが存在し得る。図１におけるＦ１、Ｆ２、‥などの表記は、マクロセル基地局２００やスモールセル基地局３００が通信において利用する周波数を表している。図１の例では、マクロセル基地局２００およびスモールセル基地局３００−１は周波数Ｆ１で通信を行い、スモールセル基地局３００−２は周波数Ｆ２で通信を行い、スモールセル基地局３００−３は周波数Ｆ３で通信を行う。なお、各基地局は、ある程度の帯域幅を有する周波数「帯」を利用して通信を行うことが想定されるが、本明細書では単に周波数と表記して説明する。
【００１２】
図２は、移動局１００およびマクロセル基地局２００の機能構成の一例を示す図である。図２に示すように、移動局１００は、例えば、ＣＡ対応の複数の送受信部１０２、１０４と、ユーザーインターフェース部１０６と、メモリ部１０８と、制御部１１０とを備える。また、マクロセル基地局２００は、例えば、送受信部２０２と、メモリ部２０４と、制御部２０６とを備える。なお、スモールセル基地局３００の機能構成については図示を省略するが、マクロセル基地局２００と同様の構成を有するものとしてよい。
【００１３】
移動局１００は、例えば、携帯電話機やタブレット端末などである。送受信部１０２、１０４は、それぞれ送受信アンテナを備え、マクロセル基地局２００やスモールセル基地局３００から受信した信号に対してダウンコンバートおよび復調などの処理を行って、制御部１１０に出力する。また、送受信部１０２、１０４は、制御部１１０から入力された信号に対して変調およびアップコンバートなどの処理を行って、マクロセル基地局２００やスモールセル基地局３００に送信する。ユーザーインターフェース部１０６は、例えば、タッチパネルなどのディスプレイ装置、入力キー、マイクロフォン、スピーカーなどを含む。メモリ部１０８には、送受信部１０２、１０４から入力された通信情報などに基づき、マクロセル基地局２００やスモールセル基地局３００のＩＤ、これらの利用する周波数などの情報が記憶される。制御部１１０は、音声通信や画像・テキストの通信などの結果に応じて、通話を成立させたり、画像・テキストの表示などを行うように、移動局１００の各部を制御する。
【００１４】
マクロセル基地局２００においても同様に、送受信部２０２は、送受信アンテナを備え、移動局１００から受信した信号に対してダウンコンバートおよび復調などの処理を行って、制御部２０６に出力する。また、送受信部２０２は、制御部２０６から入力された信号に対して変調およびアップコンバートなどの処理を行って、移動局１００に送信する。メモリ部２０４には、スモールセル基地局３００の利用する周波数の情報、ＰＣＩ（Physical  Cell  ID、物理セル識別子）などの情報が記憶される。制御部２０６は、移動局１００との通信を行い、移動局１００に通話やインターネットへのアクセスを行わせるための種々の制御を行う。なお、図２および上記説明は、マクロセル基地局２００やスモールセル基地局３００の備える送受信部が単独であることに限定するものではない。また、移動局装置１００は、後述の異周波セルサーチを複数の送受信部１０２、１０４の空いている送受信部を用いて行うことができる。
【００１５】
図３は、第１実施形態の移動体通信システム１において実行される処理の流れを示すフローチャートの一例である。図３のフローチャートは、移動局１００とマクロセル基地局２００との間で通信接続が行われているときに実行される。
まず、マクロセル基地局２００が、スモールセル基地局３００へのハンドオーバーを移動局１００に要求するか否かを決定する（ステップＳ４００）。ステップＳ４００の決定（判定）は、例えば、通信負荷や処理負荷の分散を目的とした最適化ロジックに基づいて行われる。マクロセル基地局２００は、ハンドオーバーを要求すると決定すると、リコンフィグレーション・メッセージ１（Reconfiguration  １）として、隣接セル構成情報（Report  Proximity  Config）を移動局１００に通知する（ステップＳ４０２）。隣接セル構成情報とは、マクロセル基地局２００が保持しているスモールセル基地局３００の情報である。
【００１６】
移動局１００は、隣接セル構成情報を受信すると、受信した隣接セル構成情報とメモリ部１０８に記憶された情報（セルリスト）とを照合し（ステップＳ４０４）、隣接セル構成情報に記載されたスモールセル基地局３００が近くに存在するか否かを推定し、近接情報（Proximity  Indication）をマクロセル基地局２００に通知する（ステップＳ４０６）。マクロセル基地局２００は、近接情報を受信すると、近接情報に含まれる「enter」および「leave」のメッセージ内容に基づき、移動局１００の近くにスモールセル基地局３００が存在するか否かを判定する。マクロセル基地局２００は、「enter」を含む近接情報を受信した場合に、移動局１００の近くにスモールセル基地局３００が存在すると判定することができる。また、マクロセル基地局２００は、「leave」を含む近接情報を受信した場合に、移動局１００の近くにスモールセル基地局３００が存在しないと判定することができる。そして、マクロセル基地局２００は、リコンフィグレーション・メッセージ２（Reconfiguration  ２）として、隣接セル構成情報で通知した隣接セルのＰＣＩを通知するように移動局１００に要求する（ステップＳ４０８）。移動局１００は、受信したＰＣＩ要求に応じて、近くに存在すると推定したスモールセル基地局３００のＰＣＩをマクロセル基地局２００に通知する（ステップＳ４１０）。
【００１７】
マクロセル基地局２００は、ＰＣＩ通知を受信すると、メモリ部２０４に記憶された情報と照合し、ＰＣＩ通知により特定されるスモールセル基地局３００が、自局（マクロセル基地局２００）と異なる周波数で通信を行うものであるか否かを判定する（ステップＳ４１２）。ＰＣＩ通知により特定されるスモールセル基地局３００が、自局と同じ周波数で通信を行うものである場合、マクロセル基地局２００は、システム情報要求メッセージ（ＳＩ要求）をリコンフィグレーション・メッセージ３（Reconfiguration  ３）として移動局１００に送信する（ステップＳ４１４）。
【００１８】
一方、ＰＣＩ通知により特定されるスモールセル基地局３００が、自局と異なる周波数で通信を行うものである場合、マクロセル基地局２００は、移動局１００の速度を推定する（ステップＳ４１６）。マクロセル基地局２００は、例えば、移動局１００からの信号の受信レベルに基づいて、移動局１００の速度を推定する。マクロセル基地局２００は、移動局１００からの信号の受信レベルが、安定している、或いは時間経過による変化が少ない場合に移動速度が低いと判定し、受信レベルが不安定、或いは時間経過による変化が大きい場合は高速で移動していると判定する。これに限らず、マクロセル基地局２００は、移動局１００が加速度センサの出力を積分するなどして自ら算出した速度を、ＰＣＩ情報などと併せて移動局１００から受信することで移動局１００の速度を推定してもよい。マクロセル基地局２００は、例えば、移動局１００の速度を、高、中、低の三段階で推定する。これに限らず、マクロセル基地局２００は、移動局１００の速度を、二段階、四段階以上に推定してもよいし、或いはリニアにアナログ値として推定してもよい。
【００１９】
次に、マクロセル基地局２００は、推定した移動局１００の速度に基づき、移動局１００が行う異周波セルサーチ試行回数（現在通信中の周波数とは異なる周波数でスモールセル基地局をサーチする回数を決定する（ステップＳ４１８）。マクロセル基地局２００は、推定した移動局１００の速度が低く、静止に近い状態であるほど異周波セルサーチ試行回数が多くなり、推定した移動局１００の速度が高いほど異周波セルサーチ試行回数が少なくなる傾向で、異周波セルサーチ試行回数を決定する。マクロセル基地局２００は、例えば、下記の関係に基づいて、異周波セルサーチ試行回数を決定する。係る理由については、後述する。
移動局１００の速度：低  −  異周波セルサーチ試行回数：３回
移動局１００の速度：中  −  異周波セルサーチ試行回数：２回
移動局１００の速度：高  −  異周波セルサーチ試行回数：１回
【００２０】
そして、マクロセル基地局２００は、ＰＣＩ通知により特定されるスモールセル基地局３００の利用する周波数と、上記決定した異周波セルサーチ試行回数を含めたＳＩ要求を、リコンフィグレーション・メッセージ３として移動局１００に送信する（ステップＳ４２０）。移動局１００は、異周波セルサーチ試行回数を含むＳＩ要求を受信すると、セルサーチ動作を開始する（ステップＳ４２２）。セルサーチ動作は、対象とされるスモールセル基地局３００から十分な受信レベルが得られることが確認されるか、サーチ回数が満了するまで継続される（ステップＳ４２４、Ｓ４２６）。サーチ回数は、マクロセル基地局から受信したＳＩ要求が異周波セルサーチ試行回数を含む場合は、当該異周波セルサーチ試行回数であり、ＳＩ要求が異周波セルサーチ試行回数を含まない場合は、例えば予め規定された回数である。セルサーチ動作を終了すると、移動局１００は、セルサーチ結果をMeasurement  Reportとしてマクロセル基地局２００に通知する（ステップＳ４２８）。
【００２１】
図４は、サーチ回数が３回であり、サーチ対象のスモールセル基地局３００がマクロセル基地局２００と異なる周波数Ｆ２で通信を行う場合における、送受信部１０２、１０４の動作の一例を示すタイミングチャートの一例である。図４に示すように、例えば、送受信部１０２がマクロセル基地局２００と周波数Ｆ１で通信を行う一方で、送受信部１０４はスモールセル基地局３００から周波数Ｆ２で共通チャネルの信号（報知情報）を受信する。移動局１００は、１回目のセルサーチで、スモールセル基地局３００の報知情報を取得しても、受信レベルが十分なレベルに達していないと判断した場合は、２回目のセルサーチを行う。２回目のセルサーチの結果でも受信レベルが十分なレベルに達しなかった場合には、３回目のセルサーチを行う。移動局１００は、３回目のセルサーチを行った段階で、３回の判定結果を基に、ハンドオーバー可能かどうかを判定する。移動局１００は、３回のセルサーチにおいて十分な受信レベルが確保できた場合は、マクロセル基地局２００に、ハンドオーバーが実施可能であることを通知する。移動局１００は、３回のセルサーチにおいて十分な受信レベルが確保できなかった場合は、Measurement  Reportで、ハンドオーバーを実施しない、或いはスモールセル基地局３００が見つからなかったことを通知する。仮に、１回目のセルサーチで、スモールセル基地局３００の受信レベルが十分高かった場合、セルサーチを１回で終了してもよい。なお、「受信レベル」とは、例えば、希望信号電力対干渉信号電力（SIR）、リファレンス信号の受信電力（RSRP：  Reference  Signal  Received  Power）、チャネル品質インジケータ（CQI：  Channel  Quality  Indicator）等の指標である。
【００２２】
移動局１００は、十分な受信レベルを確保できたか否かを、例えば以下のように２つの閾値Ａ、Ｂ（Ａ＞Ｂ）を用いて判定する。閾値Ａは、これ以上であれば十分に高く、ハンドオーバーを好適に行うことができる値である。また、閾値Ｂは、これを下回るとハンドオーバーを行わない方が良いと判断される値である。なお、移動局１００は、その時点で通信を行っているマクロセル基地局２００からの受信レベルを閾値Ａに設定してよい。こうすれば、受信レベルが閾値Ａ以上である場合、ハンドオーバーすればその時点よりも受信レベルが向上すると判断できるからである。
（１）移動局１００は、いずれかの回のセルサーチで受信レベルが閾値Ａに達した場合、ハンドオーバーが可能であると判断する。この場合、移動局１００は、受信レベルが閾値Ａに達したことが確認された回でセルサーチを終了する。
（２）移動局１００は、（１）でない場合において、全ての回のセルサーチにおいて、受信レベルが閾値Ｂに達した場合（全ての回のセルサーチにおいて「受信レベルが閾値Ｂを下回らなかった場合」としてもよい）、ハンドオーバーが可能であると判断する。
（３）移動局１００は、（１）でない場合において、いずれかの回の受信レベルが閾値Ｂに達しなかった場合（いずれかの回のセルサーチにおいて「受信レベルが閾値Ｂを下回った場合」としてもよい）、ハンドオーバーを実施しないと判断する。
【００２３】
図５（Ａ）〜（Ｃ）は、上記（１）〜（３）の場合に対応する受信レベルの推移を例示した図である。図５（Ａ）が（１）に対応し、図５（Ｂ）が（２）に対応し、図５（Ｃ）が（３）に対応する。図５（Ａ）に示す受信レベルの推移では、１回目のセルサーチで受信レベルが閾値Ａに達したため、ハンドオーバーが可能であると判断され、２回目以降のセルサーチは行われない。図５（Ｂ）に示す受信レベルの推移では、１回目〜３回目のセルサーチで受信レベルが閾値Ａに達しなかったが、各回のセルサーチで受信レベルが閾値Ｂに達しているため、ハンドオーバーが可能であると判断される。図５（Ｃ）に示す受信レベルの推移では、１回目〜３回目のセルサーチで受信レベルが閾値Ａに到達せず、また、受信レベルが各回のセルサーチで受信レベルが閾値Ｂに到達しなかったため、ハンドオーバーを実施しないと判断される。
【００２４】
以上説明した第１実施形態の移動体通信システム１によれば、移動局１００がセルサーチを行う回数が、移動局１００の速度に基づいて決定され、移動局１００は決定された回数の範囲内でスモールセル基地局３００をサーチするため、効率の良いセルサーチ動作を移動局１００に行わせることができる。
【００２５】
ここで、移動局１００が高速で移動している場合、仮にスモールセル基地局３００へのハンドオーバーを行っても、すぐに移動局１００がスモールセル基地局３００のサービス提供領域外に移動することが想定される。移動局１００がスモールセル基地局３００のサービス提供領域外に移動すると、次のハンドオーバーが必要となるため、結果として消費電力が増加してしまう。従って、移動局１００が高速で移動している場合には、マクロセル基地局２００からのハンドオーバーを積極的に行わないほうがよいと考えられる。但し、少ないセルサーチ回数でスモールセル基地局３００にハンドオーバーすることが可能であれば、そのハンドオーバー自体に要する消費電力が小さいため、ハンドオーバーを行うことを許容してもよい。
【００２６】
逆に、移動局１００が静止、或いは低速で移動している場合、通信処理負荷の分散などの観点から、スモールセル基地局３００へのハンドオーバーを積極的に行ったほうがよいと考えられる。この場合、移動体通信システム１は、高速移動時よりも多い回数のセルサーチを移動局１００に行わせることで、より確実にハンドオーバーを行わせることができる。以上の観点から、第１実施形態の移動体通信システム１は、効率の良いセルサーチ動作を移動局１００に行わせることができる。
【００２７】
＜第２実施形態＞
以下、第２実施形態の移動体通信システム２について説明する。ここでは、第１実施形態と共通する部分について同一の符号を付すと共に説明を省略し、相違点についてのみ説明する。第２実施形態の移動体通信システム２では、マクロセル基地局２００は、図３のステップＳ４１８の処理に代えて、推定した移動局１００の速度に基づき、移動局１００が行う異周波セルサーチ試行の「制限時間」を決定し、移動局１００に通知する。マクロセル基地局２００は、推定した移動局１００の速度が低く、静止に近い状態であるほど異周波セルサーチ試行の制限時間が長くなり、推定した移動局１００の速度が高いほど異周波セルサーチ試行の制限時間が短くなる傾向で、異周波セルサーチ試行の制限時間を決定する。マクロセル基地局２００は、例えば、下記の関係に基づいて、異周波セルサーチ試行の制限時間を決定する。移動局１００は、通知された制限時間の範囲内でセルサーチを行う。なお、制限時間の範囲内であるか否かは、移動局１００の制御部に設けられたタイマー（図示せず）を用いて判定される。
移動局１００の速度：低  −  異周波セルサーチ制限時間：５００［ｍｓｅｃ］
移動局１００の速度：中  −  異周波セルサーチ制限時間：２００［ｍｓｅｃ］
移動局１００の速度：高  −  異周波セルサーチ制限時間：１００［ｍｓｅｃ］
【００２８】
図６（Ａ）〜（Ｃ）は、第２実施形態の移動体通信システム２における受信レベルの推移と異周波セルサーチ試行の制限時間との関係を例示した図である。図６（Ａ）は、異周波セルサーチ試行の制限時間が５００［ｍｓｅｃ］に設定され、受信レベルが閾値Ａに達した場合を示す。この場合、ハンドオーバーが可能であると判断される。なお、図６（Ａ）の場合、受信レベルが閾値Ａに達した時点で（或いは、受信レベルが閾値Ａを上回った時間が所定時間以上となった時点で）、５００［ｍｓｅｃ］経過していなくても異周波セルサーチ試行を停止してよい。図６（Ｂ）は、異周波セルサーチ試行の制限時間が５００［ｍｓｅｃ］に設定され、受信レベルが閾値Ａに達しなかったが、一度も閾値Ｂを下回らなかった場合を示す。この場合、ハンドオーバーが可能であると判断される。図６（Ｃ）は、異周波セルサーチ試行の制限時間が１００［ｍｓｅｃ］に設定され、受信レベルが閾値Ａに達しなかったが、一度も閾値Ｂを下回らなかった場合を示す。この場合、ハンドオーバーが可能であると判断される。
【００２９】
以上説明した第２実施形態の移動体通信システム２によれば、移動局１００がセルサーチを行う制限時間が、移動局１００の速度に基づいて決定され、移動局１００はマクロセル基地局２００で決定された制限時間の範囲内でスモールセル基地局３００をサーチするため、効率の良いセルサーチ動作を移動局１００に行わせることができる。
【００３０】
＜第３実施形態＞
以下、第３実施形態の移動体通信システム３について説明する。ここでは、第１実施形態と共通する部分について同一の符号を付すと共に説明を省略し、相違点についてのみ説明する。
【００３１】
図７は、第３実施形態に係る移動体通信システム３の全体構成を模式的に示す図である。移動体通信システム３において、マクロセル基地局２００およびスモールセル基地局３００−１は周波数Ｆ１で通信を行い、スモールセル基地局３００−２は周波数Ｆ２またはＦ３で通信を行い、スモールセル基地局３００−３は周波数Ｆ３で通信を行う。
【００３２】
第３実施形態の移動体通信システム３では、マクロセル基地局２００は、利用する周波数が複数あるスモールセル基地局３００−２については、推定した移動局１００の速度に基づき、異周波セルサーチ試行回数（または制限時間）を、周波数ごとに決定して移動局１００に通知する。下記は、第３実施形態に係るマクロセル基地局２００から移動局１００に通知される情報の一部を例示した図である。
｛周波数Ｆ２：異周波セルサーチ試行回数３回｝
｛周波数Ｆ３：異周波セルサーチ試行回数３回｝または
｛周波数Ｆ２：異周波セルサーチ制限時間５００［ｍｓｅｃ］｝
｛周波数Ｆ３：異周波セルサーチ制限時間５００［ｍｓｅｃ］｝
【００３３】
移動局１００は、周波数ごとに通知された異周波セルサーチ試行回数（または制限時間）の範囲内でセルサーチを行う。これによって、移動局１００は、効率の良いセルサーチ動作を行うことができる。マクロセル基地局２００は、例えば、スモールセル基地局３００−２における周波数ごとの通信負荷などを考慮して、通信負荷の小さい周波数に対する異周波セルサーチ試行回数を多く（または制限時間を長く）することにより、通信負荷の小さい周波数へのハンドオーバーが優先的に行われるようにする。
【００３４】
以上説明した第３実施形態の移動体通信システム３によれば、第１実施形態や第２実施形態と同様に、効率の良いセルサーチ動作を移動局１００に行わせることができる。
【００３５】
＜第４実施形態＞
以下、第４実施形態の移動体通信システム４について説明する。第４実施形態の移動体通信システム４は、図７に示すものと同様の構成を有している。第４実施形態に係るマクロセル基地局２００は、スモールセル基地局３００へのハンドオーバーを行う際の異周波セルサーチ試行回数（または制限時間）を、周波数ごとに決定し、共通チャネルである報知情報に重畳させて自装置と通信可能な移動局１００に通知する。下記は、第４実施形態に係るマクロセル基地局２００から移動局１００に通知される情報の一部を例示した図である。
｛周波数Ｆ２：異周波セルサーチ試行回数３回｝
｛周波数Ｆ３：異周波セルサーチ試行回数３回｝
｛周波数Ｆ４：異周波セルサーチ試行回数２回｝または
｛周波数Ｆ２：異周波セルサーチ制限時間５００［ｍｓｅｃ］｝
｛周波数Ｆ３：異周波セルサーチ制限時間５００［ｍｓｅｃ］｝
｛周波数Ｆ４：異周波セルサーチ制限時間３００［ｍｓｅｃ］｝
【００３６】
マクロセル基地局２００と通信を行っている移動局１００は、マクロセル基地局２００からハンドオーバー要求を受信すると、予め受信している周波数ごとの異周波セルサーチ試行回数（または制限時間）の範囲内で、セルサーチを行う。これによって、移動局１００は、効率の良いセルサーチ動作を行うことができる。
【００３７】
以上説明した第４実施形態の移動体通信システム４によれば、第１ないし第３実施形態と同様に、効率の良いセルサーチ動作を移動局１００に行わせることができる。
【００３８】
以上、本発明を実施するための形態について実施形態を用いて説明したが、本発明はこうした実施形態に何等限定されるものではなく、本発明の要旨を逸脱しない範囲内において種々の変形及び置換を加えることができる。
【００３９】
＜付記＞
本発明は，以下の態様で実施することができる。
［１］第１の基地局装置（２００）と、第１の基地局装置とは異なる周波数で通信を行う第２の基地局装置（３００−２、３００−ｎ）と、第１の基地局装置および第２の基地局装置と通信可能な移動局装置（１００）と、を備え、第１の基地局装置は、移動局装置と通信中に自装置から第２の基地局装置へのハンドオーバーを要求するときに、移動局装置が第２の基地局装置をサーチする回数または制限時間を移動局装置の速度に基づいて決定し、決定した回数または制限時間を移動局装置に送信し、移動局装置は、第１の基地局装置から通知された回数または制限時間の範囲内で第２の基地局装置をサーチする、移動体通信システム（１）。これによれば、効率のよいセルサーチ動作を移動局に行わせることができる。
［２］［１］記載の移動体通信システムであって、第１の基地局装置は、自装置からのハンドオーバーを要求する第２の基地局装置が複数の周波数で通信を行う場合、複数の周波数のそれぞれについて、移動局装置が第２の基地局装置をサーチする回数または制限時間を移動局装置の速度に基づいて決定し、決定した回数を移動局装置に送信する、移動体通信システム。
［３］第１の基地局装置と、第１の基地局装置とは異なる周波数で通信を行う第２の基地局装置と、第１の基地局装置および第２の基地局装置と通信可能な移動局装置と、を備える移動体通信システムにおいて、第１の基地局装置が、移動局装置と通信中に自装置から第２の基地局装置へのハンドオーバーを要求するときに、移動局装置が第２の基地局装置をサーチする回数または制限時間を移動局装置の速度に基づいて決定し、決定した回数または制限時間を移動局装置に送信し、移動局装置が、第１の基地局装置から通知された回数または制限時間の範囲内で第２の基地局装置をサーチする、通信方法。
［４］移動局装置と通信を行う送受信部（２０２）と、移動局装置との通信中に、自装置から自装置とは異なる周波数で通信を行う他の基地局装置へのハンドオーバーを要求するときに、移動局装置が他の移動局装置をサーチする回数または制限時間を移動局装置の速度に基づいて決定し、決定した回数または制限時間を移動局装置に送信するように送受信部を制御する制御部（２０６）と、を備える基地局装置（２００）。
［５］［４］記載の基地局装置であって、制御部は、自装置からのハンドオーバーを要求する他の基地局装置が複数の周波数で通信を行う場合、複数の周波数のそれぞれについて、移動局装置が他の移動局装置をサーチする回数または制限時間を移動局装置の速度に基づいて決定し、決定した回数または制限時間を移動局装置に送信するように通信部を制御する、基地局装置。
［６］第１の基地局装置と、第１の基地局装置とは異なる周波数で通信を行う第２の基地局装置と、第１の基地局装置および第２の基地局装置と通信可能な移動局装置と、を備え、第１の基地局装置は、自装置と通信可能な移動局装置に対し、自装置からのハンドオーバーを行う際に移動局装置が第２の基地局装置をサーチする回数または制限時間を、共通チャネルを用いて移動局装置に通知し、移動局装置は、第１の基地局装置から通知された回数または制限時間の範囲内で第２の基地局装置をサーチする、
移動体通信システム。
【符号の説明】
【００４０】
１‥移動体通信システム、１００‥移動局、１０２、１０４‥送受信部、１１０制御部、２００‥マクロセル基地局、２０２‥送受信部、２０６‥制御部、３００‥スモールセル基地局
【図１】
2014143651.tif 000003
【図２】
2014143651.tif 000004
【図３】
2014143651.tif 000005
【図４】
2014143651.tif 000006
【図５】
2014143651.tif 000007
【図６】
2014143651.tif 000008
【図７】
2014143651.tif 000009